(57)【特許請求の範囲】
【請求項１】
屋根の平棟部にその長手方向に沿って形成された棟部換気口（１０１）に対しその上から全長にわたって傘型をした棟包み材（６）で覆うことにより棟部換気口（１０１）両側の屋根材（１０４）と上記棟包み材（６）との上下間に屋根流れ方向に沿った換気通路（Ｙ）を形成させる構造であって、
換気通路（Ｙ）内における屋根流れ方向の高位側で棟包み材（６）の裏面側から屋根流れ方向を遮る向きに垂下して設けられ且つ平棟部の長手方向に沿って長く形成された第１仕切材（１）と、
換気通路（Ｙ）内における屋根流れ方向の低位側で屋根材（１０４）の上面側から屋根流れ方向を遮る向きに起立して設けられ且つ平棟部の長手方向に沿って長く形成された第２仕切材（２）と、
平棟部の長手方向複数箇所で屋根流れ方向に沿って設けられ且つ上記第１仕切材（１）と第２仕切材（２）とを互いに屋根流れ方向で所定間隔に保持させつつ第１仕切材（１）の下端辺部と第２仕切材（２）の上端辺部とをレベル的にオーバーラップする配置関係に連結する連結部材（３）と、
を有し、
前記連結部材（３）において、クランク折りによって形成される片は、第１仕切材（１）を保持する第１起立片（２０）と、第２仕切材（２）を保持する第２起立片（２１）と、これら第１起立片（２０）と第２起立片（２１）とを屋根流れ傾斜に合わせて連結する間隔保持片（２２）との、少なくとも３片を有したものとされ、
連結部材（３）は、第１起立片（２０）の上端から上記間隔保持片（２２）と逆向きに折曲された天面片（２３）と、第２起立片（２１）の上端から上記間隔保持片（２２）と同じ向きに折り返された末端片（２４）とを具備したものとされており、且つ、天面片（２３）における傾斜上端を介して左右対称となるように一体化されて全体が山形を呈するようになっており、
換気通路形成部材（５）の組み立てに用いられている第１仕切材（１）は、断面傘型の渡り板部（１０）を介してその両側で下向きに折曲形成され、この第１仕切材（１）は二つあり、これら両方の第１仕切材（１）が、渡り板部（１０）を介して連結一体化され、
各第２仕切材（２）には、その下端辺部から下部取付片（１２）が折曲形成されており、また上端辺部からは下部取付片（１２）と同じ向きに上部取付片（１３）が折曲形成されており、これら第２仕切材（２）、下部取付片（１２）及び上部取付片（１３）の三者が断面鉤型を呈して一体形成されていることを特徴とする屋根の平棟部構造。
【請求項２】
前記第２仕切材（２）は、屋根材（１０４）の上面側から棟包み材（６）の裏面側まで届く起立高さを有しておりその板面の所定高さ位置に通気孔（１５）が形成されたものであって、且つ当該第２仕切材（２）の下端辺部には屋根材（１０４）上面に当接する下部取付片（１２）が折曲形成されていると共に当該第２仕切材（２）の上端辺部には棟包み材（６）の裏面に当接する上部取付片（１３）が折曲形成されて、これら第２仕切材（２）、下部取付片（１２）及び上部取付片（１３）の三者が一体形成されていることを特徴とする請求項１記載の屋根の平棟部構造。
【請求項３】
前記第２仕切材（２）には、その下端辺寄りに水抜き孔（１６）が形成されていることを特徴とする請求項２記載の屋根の平棟部構造。
【発明の詳細な説明】
【０００１】
【発明の属する技術分野】
本発明は、屋根の平棟部構造に関するものである。
【０００２】
【従来の技術】
図４は、特公平７−８４７８３号公報に記載された屋根の平棟部構造を分解して示したものである。
この図例のものに代表されるように、従来の平棟部構造は、垂木１００等を用いて組み上げた屋根の骨組みに対し、平棟部の長手方向に沿わせて棟部換気口１０１を形成させるようにして野地板１０２を張りつけ、この野地板１０２の上面に防水シート（図示略）を敷いて屋根材１０４を葺いた後、棟部換気口１０１を中心としてその両側の屋根材１０４上部に跨らせるように換気用棟部材１０５（いわゆる換気通路形成部材）を載設し、更にこの換気用棟部材１０５の上部を傘型をした棟包み材１０６で覆うようにしたものであった。
【０００３】
上記の換気用棟部材１０５は、その断面形状が恰も角型の波形を呈するようになっており、中央で突出する膨出山形部１１０とこの両側で突出する門型部１１１とを有している。そして、これら膨出山形部１１０と門型部１１１との間を繋ぐ傾斜底部１１２や、門型部１１１の両外側に設けられた傾斜底部１１３を屋根材１０４への固定板とさせている。
【０００４】
また、膨出山形部１１０の立ち上がり片１１０ａや門型部１１１の立ち上がり片１１１ａには、それぞれ高さを異ならせて換気口１１５，１１６が形成されている。
このようなことから、棟部換気口１０１の両側の屋根材１０４と棟包み材１０６との上下間に、換気口１１５，１１６により、屋根流れ方向に沿った換気通路を形成させるものである。
【０００５】
このような換気用棟部材１０５は、平板素材の必要箇所に打抜き加工等によって換気口１１５，１１６を形成させたうえでプレス加工するか、又は押し出し成形することによって所定断面形状を有するものへと製作されるのが普通である。
【０００６】
【発明が解決しようとする課題】
上記したように、従来の平棟構造では、換気通路形成部材として使用する換気用棟部材１０５に数多くの換気口１１５，１１６を形成させておく必要があったので、これらの換気口１１５，１１６に相当して材料ロスの大きいものとなっていた。
【０００７】
また、この場合の換気口１１５，１１６は、一般に平棟部の長手方向に沿った長孔（図示略）として形成させていたが、換気口１１５と換気口１１５との隣接間、及び換気口１１６と換気口１１６との隣接間は、当然ながらどうしても開口させることができず、それだけ換気通路としての開口面積を有効活用できていないということもあった。
【０００８】
一方、この種の換気用棟部材１０５は、棟包み材１０６との連結のため、強度的に十分な厚さを持たせておく必要があった。勿論、この厚さは、換気用棟部材１０５の全体として必要である。そのため、材料コストが高騰化し、また輸送をはじめとして取り扱い等が重さのために手間取るということもあった。
本発明は、上記事情に鑑みてなされたものであって、材料コストの低廉化を図ると共に、取り扱いや平棟部施工の容易化などを図り、更に換気通路としての開口面積の有効活用を図ることができる屋根の平棟部構造を提供することを目的とする。
【０００９】
【課題を解決するための手段】
前記目的を達成するために、本発明は次の手段を講じた。
即ち、本発に係る屋根の平棟部構造は、屋根の平棟部にその長手方向に沿って形成された棟部換気口に対し、その上から全長にわたって傘型をした棟包み材で覆うことにより、棟部換気口両側の屋根材と上記棟包み材との上下間に屋根流れ方向に沿った換気通路を形成させる構造である。
【００１０】
この構造は、第１仕切材と第２仕切材とを有し、またこれら第１仕切材と第２仕切材とを、平棟部の長手方向複数箇所で屋根流れ方向に沿って連結する連結部材を有したものとなっている。
そして、前記連結部材において、クランク折りによって形成される片は、第１仕切材を保持する第１起立片と、第２仕切材を保持する第２起立片と、これら第１起立片と第２起立片とを屋根流れ傾斜に合わせて連結する間隔保持片との、少なくとも３片を有したものとされ、
連結部材は、第１起立片の上端から上記間隔保持片と逆向きに折曲された天面片と、第２起立片の上端から上記間隔保持片と同じ向きに折り返された末端片とを具備したものとされており、且つ、天面片における傾斜上端を介して左右対称となるように一体化されて全体が山形を呈するようになっており、
換気通路形成部材の組み立てに用いられている第１仕切材は、断面傘型の渡り板部を介してその両側で下向きに折曲形成され、この第１仕切材は二つあり、これら両方の第１仕切材が、渡り板部を介して連結一体化され、
各第２仕切材には、その下端辺部から下部取付片が折曲形成されており、また上端辺部からは下部取付片と同じ向きに上部取付片が折曲形成されており、これら第２仕切材、下部取付片及び上部取付片の三者が断面鉤型を呈して一体形成されている。
【００１１】
第１仕切材は、換気通路内における屋根流れ方向の高位側で、且つ棟包み材の裏面側から屋根流れ方向を遮る向きに垂下して設けられるものである。また、この第１仕切材は、平棟部の長手方向に沿って長く形成されている。
また第２仕切材は、換気通路内における屋根流れ方向の低位側で、且つ屋根材の上面側から屋根流れ方向を遮る向きに起立して設けられるものである。また、この第２仕切材も、平棟部の長手方向に沿って長く形成されている。
【００１２】
従って、これら第１仕切材と第２仕切材とは、連結部材によって連結されることによって、互いに屋根流れ方向で所定間隔を有し、且つ第１仕切材の下端辺部と第２仕切材の上端辺部とがレベル的にオーバーラップする配置関係に保持されることになる。
このような構成であれば、平棟部の長手方向複数箇所に設けられる連結部材により、第１仕切材及び第２仕切材の保持や、その上に被せられる棟包み材の保持ができることになる。
【００１３】
すなわち、全体としての強度的負担は連結部材だけで担わせることができ、第１仕切材や第２仕切材は軽量化や構造簡潔化を図ることができるようになる。
そのため、材料コストの低廉化を図ると共に、取り扱いや平棟部施工の容易化などを図ることができる。
また、この構造によって形成される換気通路として見た場合、第１仕切材に対応する部分を、孔ではなく、その下端辺側と屋根材との上下間に形成する隙間として形成したり、或いは、第２仕切材に対応する部分を、孔ではなく、その上端辺側と棟包み材との上下間に形成する隙間として形成したりすることができる。
【００１４】
そのため、材料ロスの解消が図れると共に、換気通路としての開口面積の有効活用を図ることができる。
なお、第１仕切材や第２仕切材には、硬さや厚さに関して加工の容易な材料を使用できることになり、一方で、高強度を有する連結部材は、第１仕切材や第２仕切材の長手方向で点在的に設けられているだけであるから、その施工時において、屋根平棟部の長さに合わせて第１仕切材や第２仕切材を切断することが極めて容易に行えるという副次的効果もある。
【００１５】
第１仕切材は、棟部換気口を挟んでその両側へ配されることになる（即ち、二つある）が、これら両第１仕切材相互は、棟包み材の傘型断面に沿って設けられる渡り板部を介して連結一体化されたものとすることができる。
これにより、構造の簡潔化がますます推し進められることになる。
第２仕切材は、屋根材の上面側から棟包み材の裏面側まで届く起立高さを有したものとして形成することができる。
【００１６】
この場合、この第２仕切材における板面の所定高さ位置（第１仕切材の下端辺部よりも高レベルとなる高さ位置を指す）に通気孔が形成されたものとし、且つ、この第２仕切材の下端辺部には、屋根材上面に当接する下部取付片が折曲形成されたものとし、またこの第２仕切材の上端辺部には、棟包み材の裏面に当接する上部取付片が折曲形成されたものとすればよい。すなわち、これら第２仕切材、下部取付片及び上部取付片の三者を一体形成すればよい。
【００１７】
これにより、構造の簡潔化がますます推し進められることになる。
なお、第２仕切材には、その下端辺寄りに水抜き孔を形成しておくのが好適となる。
第１仕切材及び第２仕切材は、連結部材によって互いに連結されることで所定形状を保持できる程度の強度を有した素材（例えばゴム板等でもよい）で形成すればよい。
【００１８】
これにより、軽量化や材料コストの低コスト化などをますます推し進めることができる。
【００１９】
【発明の実施の形態】
以下、本発明の実施の形態を、図面に基づき説明する。
図１は、本発明に係る屋根の平棟部構造における一実施形態を示している。
この平棟部構造は、垂木１００等を用いて組み上げた屋根の骨組みに対し、平棟部の長手方向に沿わせて棟部換気口１０１を形成させるようにして野地板１０２を張りつけ、この野地板１０２の上面にアスファルトルーフィング等の防水シート１０３を敷いて屋根材１０４を葺いた後、第１仕切材１と第２仕切材２とを連結部材３によって連結することで組み立てた換気通路形成部材５を、棟部換気口１０１を中心とするその両側の屋根材１０４上に跨らせて載設し、更にこの換気通路形成部材５の上部を、傘型をした棟包み材６で覆うようにしてある。
【００２０】
従って、棟部換気口１０１を中心として、その両側の屋根材１０４と上記棟包み材６との上下間に、屋根流れ方向に沿った二方向の換気通路Ｙを形成させているものである。
図２及び図３は、上記した換気通路形成部材５を示している。
図３から明らかなように、この換気通路形成部材５の組み立てに用いられている第１仕切材１は、断面傘型の渡り板部１０を介してその両側で下向きに折曲形成されるようになっている。即ち、この第１仕切材１は二つあり、これら両方の第１仕切材１が、渡り板部１０を介して連結一体化されているものである。
【００２１】
第１仕切材１は、屋根材１０４と棟包み材６との上下間の高さよりも小さく形成されている（図１参照）。
また渡り板部１０の傘型断面形状は、傾斜角度としては棟包み材６の傘型断面に沿ったものとされており、また屋根流れ方向の長さとしては棟包み材６のそれよりも短く形成されている。
【００２２】
なお、これら第１仕切材１及び渡り板部１０は、平棟部の長手方向に沿って長く形成されている。
このようなことから、この換気通路形成部材５を用いて平棟部構造を施工する場合、渡り板部１０は棟包み材６の裏面側を支持するようなかたちで張り合わせ状（当接はしない）に設けられることになり、このとき第１仕切材１は、換気通路Ｙ内において棟部換気口１０１を挟んだ両側で、且つ屋根流れ方向の高位側に位置付けられ、棟包み材６の裏面側から屋根流れ方向を遮る向きに垂下して設けられることになる。
【００２３】
この第１仕切材１は、上記したように屋根材１０４と棟包み材６との上下間の高さよりも小さく形成されているので、この第１仕切材１の下端辺側は屋根材１０４までは届かずに、ここに隙間が形成されることになり、この隙間が換気通路Ｙの一部とされるものである。
このような第１仕切材１及び渡り板部１０は、ゴム板（例えばＥＰＤＭ系）をはじめ、薄い板金材や樹脂板、布などで形成することができる。
【００２４】
一方、換気通路形成部材５の組み立てに用いられている第２仕切材２も二つあるが、これらは第１仕切材１の場合とは異なって、別々に分離したかたちで形成されている。
各第２仕切材２には、その下端辺部から下部取付片１２が折曲形成されており、また上端辺部からは下部取付片１２と同じ向きに上部取付片１３が折曲形成されており、これら第２仕切材２、下部取付片１２及び上部取付片１３の三者が断面鉤型を呈して一体形成されている。
【００２５】
この第２仕切材２は、屋根材１０４の上面側から棟包み材６の裏面側まで届く起立高さを有している（図１参照）。またこの第２仕切材２には、その上端辺寄りで長手方向に沿った適宜間隔で長孔や丸孔などから成る通気口１５が形成されており、下端辺寄りで長手方向に沿った適宜間隔で小径の水抜き孔１６が形成されている。
【００２６】
なお、これら第２仕切材２、下部取付片１２及び上部取付片１３は、平棟部の長手方向に沿って長く形成されている。
このようなことから、この換気通路形成部材５を用いて平棟部構造を施工する場合、第２仕切材２は、屋根流れ方向の低位側（第１仕切材１から所定間隔をおいた下方側位置）に位置付けられるものとされ、この状態で下部取付片１２は屋根材１０４の上面へ当接してこれとの固定に用いられ、このとき第２仕切材２は、換気通路Ｙ内において屋根材１０４の上面側から屋根流れ方向を遮る向きに起立して設けられることになる。
【００２７】
また第２仕切材２は、上記したように屋根材１０４の上面側から棟包み材６の裏面側まで届く起立高さを有しているので、このとき上部取付片１３は棟包み材６の裏面に当接してこれとの固定に用いられるようになっている。
そしてこの第２仕切材２に設けられた通気孔１５が、換気通路Ｙの一部とされるものである。
【００２８】
このような第２仕切材２、下部取付片１２及び上部取付片１３は、ゴム板（例えばＥＰＤＭ系）をはじめ、薄い板金材や樹脂板、布などで形成することができる。
換気通路形成部材５の組み立てに用いられる連結部材３は、平棟部の長手方向複数箇所に設けられるもので、屋根流れ方向に沿った細長い帯板材を所定形状にクランク折りすることで形成されている。
【００２９】
この連結部材３において、クランク折りによって形成される片は、第１仕切材１を保持する第１起立片２０と、第２仕切材２を保持する第２起立片２１と、これら第１起立片２０と第２起立片２１とを屋根流れ傾斜に合わせて連結する間隔保持片２２との、少なくとも３片を有したものとされる。
本実施形態の連結部材３では、第１起立片２０の上端から上記間隔保持片２２と逆向きに折曲された天面片２３と、第２起立片２１の上端から上記間隔保持片２２と同じ向きに折り返された末端片２４とを具備したものとされており、なお且つ、天面片２３における傾斜上端を介して左右対称となるように一体化されて全体が山形を呈するようになっている。
【００３０】
従って、この連結部材３は、両側の天面片２３による裏側（下側）で上記した渡り板部１０の上面に被さるかたちとなって、このとき第１起立片２０の内面で第１仕切材１を保持するようになり、また間隔保持片２２から第２起立片２１及び末端片２４にかけたそれらの外回り面で、上記した下部取付片１２、第２仕切材２及び上部取付片１３の内側へ嵌り込むかたちとなって、このとき第２起立片２１の外面で第２仕切材２を保持するようになっている。
【００３１】
そして、この連結部材３による連結状態とされることで、第１仕切材１と第２仕切材２とが互いに屋根流れ方向で所定間隔を保持されることになる。また同時に、第１仕切材１の下端辺部と、第２仕切材２の上端辺部（本実施形態では通気孔１５が設けられたものとしてあるのでこの通気孔１５の開口下端に相当する）とがレベル的にオーバーラップする配置関係に保持されることになる。
【００３２】
この連結部材３は、第１仕切材１や第２仕切材２を保持し、且つこれらと棟包み材６とを連結（棟包み材６の支持）するうえで必要とされる強度が得られるように、その材質及び肉厚が設定されている。
なお、棟包み材６（図１参照）は、連結部材３によって連結された第１仕切材１及び第２仕切材２をその上方から覆ったうえで、第２仕切材２を超えて更に屋根流れ方向の下方へ延びる大きさを有しており、また好ましくは第２仕切材２に設けられた通気孔１５に対して、その開口全部とレベル的にオーバーラップする垂下片２７が向けられたものとしてある。
【００３３】
このような構成の平棟部構造では、図１から明らかなように、平棟部の長手方向複数箇所に設けられる連結部材３により、第１仕切材１及び第２仕切材２が保持され、その上に棟包み材６が被せされた状態となっており、結果、その全体としての強度的負担は連結部材３が担うものとなって、第１仕切材１や第２仕切材２の軽量化、構造簡潔化が図られるようになっている。
【００３４】
また、換気通路Ｙにおいて、第１仕切材１に対応する部分では、孔ではなく、この第１仕切材１の下端辺側と屋根材１０４との上下間に形成される隙間となっているので、その開口面積の究極的な有効活用が図れていることになる。
なお図示は省略するが、第２仕切材２についても、例えば通気孔１５の採用を止めてその上端辺部が棟包み材６の裏面までは届かないものとして形成し、ここに隙間を生じさせ、この隙間を換気通路Ｙの一部とさせる、といったことができる。
【００３５】
これであれば、換気通路Ｙとして、その開口面積の有効活用率を更に高めることができる。
ところで、本発明は、上記各実施形態に限定されるものではなく、実施の状況に応じて各部の寸法的及び形状的な変更や、材質的な変更等が可能である。
【００３６】
【発明の効果】
以上の説明から明らかなように、本発明に係る屋根の平棟部構造では、第１仕切材と第２仕切材とを有しており、これら第１仕切材と第２仕切材とが、平棟部の長手方向複数箇所に設けられる連結部材によって屋根流れ方向に沿って連結される構造であるから、その全体として、材料コストの低廉化が図れると共に、取り扱いや平棟部施工の容易化などが図られることになり、更に換気通路としての開口面積の有効活用をも図られるものである。
【図面の簡単な説明】
【図１】  本発明に係る屋根の平棟部構造の一実施形態を示す正面断面図である。
【図２】  本発明に係る屋根の平棟部構造で使用する換気通路形成部材を示す斜視図である。
【図３】  図２の換気通路形成部材を分解して示す斜視図である。
【図４】  従来の屋根の平棟部構造の一実施形態を示す正面断面図である。
【符号の説明】
１    第１仕切材
２    第２仕切材
６    棟包み材
１０    渡り板部
１２    下部取付片
１３    上部取付片
１５    通気孔
１６    水抜き孔
１０１    棟部換気口
１０４    屋根材
Ｙ    換気通路
【図１】
0004520076.tif 000002
【図２】
0004520076.tif 000003
【図３】
0004520076.tif 000004
【図４】
0004520076.tif 000005